(57)【要約】【課題】  気流調整のための交換を容易に行うことができる気流調整部材を提供する【解決手段】  空気調和設備２００の吹き出し口１２に取り付けられる気流調整部材１００であって、吹き出し口１２に取付けられる額縁３と、この額縁３から室内側に突出して取付けられる取付フレーム７と、この取付フレーム７の底面に配置された底板１と、取付フレーム７の周面に配置された周壁板２と、底板１および周壁板２を額縁３に着脱自在に固定するためのブラケット４とを備え、底板１および周壁板２は、全部が開口部８を有するか、あるいは少なくとも１つが開口部８を有しない遮蔽板９であり（但し、底板１および周壁板２の全部が遮蔽板９であってはならない）、底板１および複数の周壁板２を交換可能にした。【選択図】図１
2018189311.tif 000002
【特許請求の範囲】
【請求項１】
空気調和設備の吹き出し口に取り付けられる気流調整部材であって、
前記吹き出し口に取付けられる額縁と、
この額縁から室内側に突出して取付けられる取付フレームと、
この取付フレームの底面に配置された底板と、
前記取付フレームの周面に配置された周壁板と、
前記底板および周壁板を前記額縁に着脱自在に固定するためのブラケットと、を備え、
前記底板および前記周壁板は、全部が開口部を有するか、あるいは少なくとも１つが開口部を有しない遮蔽板であり（但し、前記底板および前記周壁板の全部が遮蔽板であってはならない）、
前記底板および前記周壁板を交換可能にした気流調整部材。
【請求項２】
前記開口部を有する前記底板および前記周壁板が、パンチング材、メッシュ材またはスリット材である請求項１に記載の気流調整部材。
【請求項３】
前記取付フレームが、側面視で逆台形状に室内側に突出している請求項１または２に記載の気流調整部材。
【請求項４】
前記ブラケットは、前記額縁の周方向に複数設けられ、前記額縁から前記底板に達する長さを有し、前記額縁、周壁板および底板にねじ止めされる請求項１〜３のいずれかに記載の気流調整部材。
【請求項５】
前記底板および周壁板は、開口部の開口率が異なる複数の底板および周壁板をさらに備える請求項１〜４のいずれかに記載の気流調整部材。
【発明の詳細な説明】
【技術分野】
【０００１】
本発明は、空気調和設備の吹き出し口に取付けられる気流調整部材に関する。
【背景技術】
【０００２】
従来、クリーンルーム等において、空気調和設備による清浄空気を室内に流出させるため、空気調和設備が使用されている。この空気調和設備のうち、例えば屋内天井に設置される吹き出し口には、気流調整部材として通常はパンチング材が取付けられている。このパンチング材は、室内全体に清浄な空気が行き渡るように気流を拡散させる形状、例えば側面部と底面部とからなる逆台形形状のもの（特許文献１）が一般に使用されるが、気流を特定機器装置や設備のみに集中させるようにした形状、例えば吹出し方向を変えることができるすのこ状の気流偏向器（特許文献２）なども知られている。
【０００３】
ところで、このような気流調整部材は、室内で設備等のレイアウト変更が行われるごとに、風量や風向きなどの気流調整が行われる。しかしながら、パンチング材は、曲げ加工や溶接などにより台形状に形成されているため、交換時にはパンチング材全体を交換する必要がある。そのため、時間および費用がかかり、容易に気流調整を行うことができない。
【先行技術文献】
【特許文献】
【０００４】
【特許文献１】特開２０００−４６４０９号公報
【特許文献２】実開平３−１２７１４７号公報
【発明の概要】
【発明が解決しようとする課題】
【０００５】
本発明の課題は、気流調整を容易に行うことができる気流調整部材を提供することである。
【課題を解決するための手段】
【０００６】
本発明者は、上記課題を解決すべく鋭意検討した結果、本発明を完成するに至った。すなわち、本発明は以下の構成からなる。
（１）空気調和設備の吹き出し口に取り付けられる気流調整部材であって、前記吹き出し口に取付けられる額縁と、この額縁から室内側に突出して取付けられる取付フレームと、この取付フレームの底面に配置された底板と、前記取付フレームの周面に配置された周壁板と、前記底板および周壁板を前記額縁に着脱自在に固定するためのブラケットと、を備え、前記底板および前記周壁板は、全部が開口部を有するか、あるいは少なくとも１つが開口部を有しない遮蔽板であり（但し、前記底板および前記周壁板の全部が遮蔽板であってはならない）、前記底板および前記周壁板を交換可能にした気流調整部材。
（２）前記開口部を有する前記底板および前記周壁板が、パンチング材、メッシュ材またはスリット材である（１）に記載の気流調整部材。
（３）前記取付フレームが、側面視で逆台形状に室内側に突出している（１）または（２）に記載の気流調整部材。
（４）前記ブラケットは、前記額縁の周方向に複数設けられ、前記額縁から前記底板に達する長さを有し、前記額縁、周壁板および底板にねじ止めされる（１）〜（３）のいずれかに記載の気流調整部材。
（５）前記底板および周壁板は、開口部の開口率が異なる複数の底板および周壁板をさらに備える（１）〜（４）のいずれかに記載の気流調整部材。
【発明の効果】
【０００７】
本発明の気流調整部材は、気流調整部材を構成する底板および複数の周壁板がブラケットに着脱自在に固定されているため、これらを交換することにより容易に気流調整ができ、且つ気流調整部材の交換のための時間や費用がかからない。
【図面の簡単な説明】
【０００８】
【図１】（ａ）は本発明の一実施形態に係る気流調整部材を空気調和設備の吹き出し口に取り付けた状態示す正面図であり、（ｂ）は（ａ）の側面図、（ｃ）は（ｂ）のＸ部分の拡大図である。
【図２】本発明の一実施形態に係る気流調整部材を示す斜視図である。
【図３】（ａ）は本発明の一実施形態に係る気流調整部材を示す上面図であり、（ｂ）は（ａ）の正面図、（ｃ）は（ａ）の側面図である。
【発明を実施するための形態】
【０００９】
図１（ａ）〜（ｃ）は、本実施形態に係る気流調整部材１００の使用状態を示している。すなわち、気流調整部材１００は、図１（ａ）に示すように、上部に例えばＨＥＰＡフィルタなどのフィルタ１１が設けられた空気調和設備２００の吹き出し口１２に取り付けられる。この気流調整部材１００は、図１（ｂ）に示すように、空気調和設備２００の吸い込み口１３から吸い込まれ、フィルタ１１を通り吹き出し口１２から出る気流Ａの風向きや風量を調整するものである。このとき、フィルタ１１は、空気調和設備２００の内部において、図１（ｃ）に示すように、下方からフィルタ締め付け金具１４によりフィルタの取付枠（図示せず）の上辺との間で挟まれて固定される。このフィルタ締め付け金具１４は、下方からフィルタ１１を支える板材１４１と、ワッシャ１４２と、内部のフィルタ１１の上方のフィルタの取付枠に上端が固定された寸切りボルトなどの長ねじ１４０と、ナット１４３とを含む。すなわち、長ねじ１４０に板材１４１とワッシャ１４２とを挿通させ、下端のナット１４３を締め付けて、板材１４１でフィルタ１１を固定することができる。なお、長ねじ１４０の長さを調節すれば、様々な高さ（厚み）のフィルタ１１を使用することができる。また、図１（ｃ）に示すように、気流調整部材１００の額縁３の周縁がビス６により天井面１５に固定されている。
【００１０】
気流調整部材１００は、図２に示すように、吹き出し口１２に取り付けられる額縁３と、この額縁３から室内側に突出して取付けられる取付フレーム７と、この取付フレーム７の底面に配置された底板１と、取付フレーム７の周面に配置された複数の周壁板２と、底板１および複数の周壁板２を額縁３に着脱自在に固定するためのブラケット４とを備え、底板１および複数の周壁板２を交換可能にした。
【００１１】
額縁３は、吹き出し口１２に取付フレーム７を取り付けるため、ビス６などでネジ留めされて吹き出し口１２の周囲に取り付けられる板状部材である。この額縁３が吹き出し口１２の周囲の内側に設置される場合、額縁３に例えばスリットなどの開口をさらに設けても構わない。
【００１２】
取付フレーム７は、額縁３から室内側（下方側）にビスなどで突出して取り付けられる枠状部材であり、その底面に底板１を配置し、その周面に複数の周壁板２を配置する（図３（ｂ））。この取付フレーム７は、例えばアルミニウムや鉄などで形成される。この取付フレーム７の形状は特に限定されないが、吹き出し口１２側から室内側（下方側）に向かって側面視で逆台形状に突出しているのがよい（図３（ｂ）、（ｃ））。
【００１３】
底板１および周壁板２は、一部または全面に気流を通す開口部８を設けた板状の部材である。この底板１は、取付フレーム７の底面に取り付けられる。また、周壁板２は、取付フレーム７の周面に取り付けられる。底板１および周壁板２の取付フレーム７への取り付け方は特に限定されず、例えば、取付フレーム７の外側または内側に配置し、ブラケット４で額縁３と固定して取り付けられる。
底板１および周壁板２としては、風向きおよび風量を変更できるものであれば特に限定されず、例えば、パンチング材、スリットを有する板部材、メッシュ板、グリルなどが挙げられる。中でも、多数の小孔（開口部８）を有し、軽量で、且つ開口率を変更可能なパンチング材が好ましい。このパンチング材の材質は軽金属であるのがよく、例えばアルミニウムなどが良い。また、パンチング材の小孔の形状は、円、楕円、長丸穴、角穴などが挙げられる。また、パンチング材は、開口率の異なるものを複数準備しておけば、所望の風量調整が可能となる。この開口率は、底板１および周壁板２で異なっていてもよい。
【００１４】
図３（ａ）に示すように、底板１および周壁板２のうち全部あるいは少なくとも１面は、風向きおよび風量の調整のために開口部８を塞いだ遮蔽板９であってもよい。この遮蔽板９は底板１または周壁板２と交換して取付フレーム７に取り付けてもよいし、底板１または周壁板２の外側または内側から開口部８を塞ぐように被せて取り付けてもよい。但し、底板１および複数の周壁板２の全部が遮蔽板９であってはならない。
【００１５】
底板１および周壁板２は、取付フレーム７の底面および周面に取り付けられた後、図２に示すように、吹き出し口１２の周囲の外側または内側に設けた額縁３にブラケット４にて着脱自在に固定される。ブラケット４は、図３（ａ）〜（ｃ）に示すように、額縁３の周方向に複数設けられ、額縁３から、取付フレーム７の底面の底板１に達する長さを有し、ナベビスなどのネジ５を挿通する穴部を有する板状部材である。このブラケット４は、額縁３、周壁板２および底板１の各面を固定する形状（側面視したときにＺ形）であり、額縁３、周壁板２および底板１にそれぞれネジ５でねじ止めされる。
このブラケット４の取り付け数は特に限定されない。また、額縁３、底板１および周壁板２を固定するためのネジ５の代わりに磁石などを用いてもよい。
【００１６】
底板１および周壁板２の交換は、ブラケット４のネジ５を取り外すことにより、任意の底板１および周壁板２だけを容易に取り外して行うことができる。そのため、開口率が異なる複数の底板１および周壁板２と、遮蔽板９とを準備しておき、適宜交換することができる。そのため、室内で設備等のレイアウト変更が行われるごとに行う風量や風向きなどの気流調整が容易になる。
【００１７】
次いで、気流調整部材１００を吹き出し口に取り付ける手順を説明する。
まず、空気調和設備２００のフィルタ１１が設けられた吹き出し口１２の外側または内側に額縁３をビス６などで固定する。
次に、額縁３から室内側に突出した取付フレーム７を取り付け、ビスなどで固定する。
最後に、取付フレーム７の底面に底板１を、周面に複数の周壁部２をそれぞれ取り付けた後、ブラケット４を額縁３の周方向に任意の数設けて、額縁３、周壁部２および底板１をそれぞれネジ５でねじ止めして固定すれば、気流調整部材１００の取り付けが完了する。なお、底板１および周壁板２の取り付け順序は逆であってもよい。
なお、取り付け後に、底板１および周壁板２を開口率の異なる別部材に交換する際は、ブラケット４のネジ５を解除して行えばよい。また、周壁板２のうち１面には遮蔽板９にしてもよい。
【００１８】
以上述べたように、空気調和設備２００の吹き出し口１２に取り付けられる気流調整部材１００は、吹き出し口１２に取付けられる額縁３と、この額縁３から室内側に突出して取付けられる取付フレーム７と、この取付フレーム７の底面に配置された底板１と、周面に配置された複数の周壁板２と、底板１および複数の周壁板２を額縁３に着脱自在に固定するためのブラケット４とを含むので、底板１と周壁板２とをそれぞれ容易に別の部材と交換し、気流調整を行うことができる。また、底板１および周壁板２が開口部８を有するパンチング材であれば、軽量なため、交換がさらに容易になる。
【００１９】
なお、本発明は、以上の実施形態に限定されるものではなく、特許請求の範囲に記載の範囲内で種々の改良や変更が可能である。例えば、以上の説明では底板１および周壁板２を四角形状としたが（図１，図２参照）、例えば底板１が円形や楕円形状であってもよい。
【符号の説明】
【００２０】
１    底板
２    周壁板
３    額縁
４    ブラケット
５    ネジ
６    ビス
７    取付フレーム
８    開口部
９    遮蔽板
１１  フィルタ
１２  吹き出し口
１３  吸い込み口
１４  フィルタ締め付け金具
１４０  長ねじ
１４１  板材
１４２  ワッシャ
１４３  ナット
１５  天井面
１００  気流調整部材
２００  空気調和設備
Ａ      気流
【図１】
2018189311.tif 000003
【図２】
2018189311.tif 000004
【図３】
2018189311.tif 000005